(57)【要約】【課題】トイレ空間の壁面及び床面等に設置されている給水口Ａと便器洗浄装置Ｂの給水口Ｃとの距離が短い状況下において、簡単に施工できる分岐継手を提供する。【解決手段】トイレ空間の壁面或いは床面等に設置されている給水口１からの水を温水洗浄装置と便器洗浄装置に分離給水する為の分岐継手において、一の流入口２と、流入口２への給水方向とは異なる流水方向を持つ複数の流出口３，４を有することにより、給水口Ａ，Ｃ間の距離が短い状況下でも、分岐継手を接続できるようになり、温水洗浄装置の洗浄機能を使用することが可能となる。【選択図】　図１
2004028152.tif 000002
【特許請求の範囲】
【請求項１】
壁面或いは床面に据え付けられている給水口から洗浄機能等を有する温水洗浄装置及び便器洗浄装置に水を分岐する分岐継手において、給水口からの流入方向に対しそれぞれ異なる軸方向に分岐することを特徴とする分岐継手。
【請求項２】
壁面或いは床面に据え付けられている給水口から洗浄機能を有する温水洗浄装置及び便器洗浄装置のそれぞれに水を給水する分岐継手において、一の流入口と、前記流入口への給水方向とは異なる流水方向を持つ複数の流出口とを有することを特徴とする分岐継手。
【請求項３】
請求項１又は２記載の分岐継手において、止水機能を具備することを特徴とする分岐継手。
【請求項４】
請求項１又は２記載の分岐継手において、本体を合成樹脂とすることを特徴とする分岐継手。
【請求項５】
請求項１又は２記載の分岐継手において、少なくとも一つの逆流防止手段を具備することを特徴とする分岐継手。
【請求項６】
請求項５記載の分岐継手において、前記逆流防止手段をダックビルとしたことを特徴とする分岐継手。
【請求項７】
請求項５又は６記載の分岐継手において、前記逆流防止手段を、分解及び組立が可能な構造としたことを特徴とする分岐継手。
【請求項８】
請求項１又は２記載の分岐継手において、前記便器洗浄装置への接続部に手締めによる締付けが可能な接続手段を設けたことを特徴とする分岐継手。
【請求項９】
請求項８記載の分岐継手において、前記接続手段をウィングナットとしたことを特徴とする分岐継手。
【請求項１０】
請求項９記載の分岐継手において、前記ウィングナットを前記便器洗浄装置のボールコックに直接取付可能な７／８”もしくは１５／１６”　のナットとしたことを特徴とする分岐継手。
【請求項１１】
請求項８又は９記載の分岐継手において、接続部をシートする固定パッキンを備えたことを特徴とする分岐継手。
【請求項１２】
請求項１又は２記載の分岐継手において、ワンタッチで接続可能且つセルフ止水機構を設けたカプラ接続構造を設けたことを特徴とする分岐継手。
【発明の詳細な説明】
【０００１】
【発明の属する技術分野】
本発明は温水洗浄装置及び便器洗浄装置へ水を分岐供給する分岐継手に関するものである。
【０００２】
【従来の技術】
図８は、局部洗浄機能を具備した温水洗浄装置を示す図である。人体が着座する便座の背部には、図示しない温水を作り出す温水タンクと、その温水を人体に向けて吐水するノズルユニット等からなる洗浄水供給手段が配置されている。なお、この洗浄水供給手段は、使用者から吐水開始・停止指令、吐水温度設定設定指令等の種々の指令を受けたマイクロコンピュータ（図示しない）が予め定められたプログラムに従って演算した結果制御されるものである。
トイレの壁面及び床面等に設置されている給水口からこの温水洗浄装置及び便器洗浄装置の給水口へ水を分岐供給するには分岐継手を使用する必要があり、従来、Ｔ字型の分岐継手を使用したり、或いは、Ｔ字型分岐継手に自在機能を具備した分岐継手を使用することで対応していた。
【０００３】
【発明が解決しようとする課題】
しかしながら、特に海外製便器洗浄装置の場合、ロータンク下面に給水口としてのボールコックが設置されておりトイレの給水口との距離が非常に短いことがある為、従来のＴ字型の分岐継手が、給水口間に取付けができないことがあり、結果的に、温水洗浄装置の設置を止めるか、或いは、分岐継手が取り付くような給水工事を行い、温水洗浄装置を設置していた。
図９は、トイレ空間に便器洗浄装置Ｂを設置した状態を示した図で、壁面等に据え付けられている給水口Ａから便器洗浄装置Ｂの給水口Ｃに図示せぬ給水管が接続されて水が供給され、便器洗浄装置Ｂの便器洗浄機能が操作できる。また、温水洗浄装置は、便器洗浄装置Ｂに設置して使用するが、温水洗浄装置の洗浄機能を使用するには、給水口Ａから水を供給する必要があり、給水口Ａと便器洗浄給水口Ｃとの間にＴ字型分岐継手Ｄ［給水口Ａから流入した水を、一方はそのまま同軸方向に水を流出し、他方を水路途中で給水口Ａからの流入方向とは異なる方向（通常は直角方向）に分岐供給する分岐継手］を使用することで、温水洗浄装置の給水口Ｅに水を供給し吐水機能を動作することができる。しかしながら、図１０に示すように給水口Ａと便器洗浄給水口Ｃとの距離が非常に短い場合、従来からのＴ字型分岐継手Ｄだと、図１０に示すように分岐継手Ｄと給水口Ａが緩衝し物理的に分岐継手Ｄが取り付かないことがある。
【０００４】
また、従来、分岐継手本体は金属製のものが一般的に使用されているが、給水接続管の接続部が樹脂ナットの場合、ネジの合わせが悪い等の施工ミスにより樹脂ナットのネジ山部が破損し、結果的に漏水事故を招くことがある。
【０００５】
更に、従来、温水洗浄装置の逆流防止手段は温水洗浄装置の機内に具備しているが、断水等により負圧が生じた場合、この逆流防止手段より上流側の水路、例えば、給水接続管、或いは、分岐継手等の水が逆流してしまい衛生上良いものではない。
【０００６】
【課題を解決するための手段】
この問題を解決するために、発明者は鋭意検討を重ね、前述した給水口同士の緩衝領域による不具合を解消するために、例えば、分岐継手の給水からの流入方向と異なる２方向に水を分岐供給する形状とすることで、問題をより解決できることを見いだした。
すなわち、分岐継手の形状を流出方向とは異なる２方向に水を分岐したり、分岐継手を一の流入口と、流入口への給水方向とは異なる流水方向を持つ複数の流出口とを有する形状にすることにより、給水口間の距離が短い場合においても分岐継手を取付けることが可能となるのである。また、この分岐継手と温水洗浄装置或いは便器洗浄装置とを接続する給水接続管との接続にカプラ接続を使用することで、工具等を使用することなくワンタッチで接続できる為、温水洗浄装置の施工性を向上させることができる。また、分岐継手本体の材料を合成樹脂とすることで樹脂ナットのネジ山の破損等を防ぐことができる。更に、前記分岐継手に逆流防止構造を具備することで、温水洗浄装置、或いは、便器洗浄装置の給水接続管を含めて水の逆流を防止することができ、水道管内の衛生をより完璧に保つことができる。
【０００７】
【発明の実施の形態】
以下、本発明の実施形態を、実施例に基づき説明する。
【０００８】
図１は、本発明の第１実施例として分岐継手の斜視図である。分岐継手１は合成樹脂による一体成形品であり、１つの流入口２と、２つの流出口３，４を有している。トイレの給水口Ａに接続される流入口２の流入方向ＩＮに対し流出口３，４をそれぞれ直角方向に分岐した形状となっている。流入口２を、トイレ空間内の壁面等に据え付けられている給水口Ａに接続することで、流出口３，４に水を供給することができる。そして、流出口３を便器洗浄装置の給水口Ｃと接続し、流出口４を温水洗浄装置の給水口Ｅと屈曲性の良いフレキシブルホース等で接続することで、洗浄機能及び便器洗浄機能を使用することが可能となる。なお、給水口Ａと分岐継手１の接続、又は給水口Ｃと分岐継手１の接続のいずれかを、屈曲性の良いフレキシブルホース等により行う。また、流出口３と便器洗浄装置２の給水口Ｃとの接続手段として、摘みを形成したウィングナット９を使用しており、このような形状とすることで、工具を用いず手締めにて分岐継手１を設置でき、設置作業が困難な狭いスペースでも容易に施工ができる。また、このウィングナット９のサイズは、海外製便器洗浄装置のボールコックに直接取付けが可能なように、「７／８”」或いは「１５／１６”」サイズのボールコックナットを使用している。また、給水接続部のシール手段として、固定パッキンを使用しており、前記ボールコックナットを締付けることでシールできる構造となっている。また、従来の分岐継手本体の材料であった金属材では、給水接続管の接続ナットが合成樹脂だった場合、硬度違いの影響でナット部のネジ山破損等の施工不良が発生していたが、本実施例では、分岐継手本体に合成樹脂を使用しているので、この問題を解決することができる。分岐継手の場合、強度等を考慮すると、ポリフェニレンサレファイド（ＰＰＳ）が望ましい。
【０００９】
図２は、前記第１実施例による分岐継手１の水路構成図を示している。前記したようにＩＮ側から供給された水は水路途中でＯＵＴ１（流出口３）とＯＵＴ２（流出口４）に分岐しており、図２（ａ）に示すように、分岐後、流出口４側の水路に逆流防止手段を設けることで、温水洗浄装置のより上流側（給水ホース等）の水の逆流を防止することが可能となる。また、図２（ｂ）に示すように、逆流防止手段を流入口２と分岐部の間に設けることで温水洗浄装置と便器洗浄装置Ｂの両方からの逆流を防止することができ、また、図示しないが、流入水分岐後、流出口３及び流出口４の両方に逆流防止手段を設けることでも同様の効果を得ることができる。
【００１０】
図３は、逆流防止手段を説明する分解図である。
本実施例では、図３に示すように、逆流防止手段として、順方向の水圧が掛かったときは先端部のスリット部が開き順方向に水を流すが、逆方向の水圧が掛かるとスリット部を閉じ水の逆流を防止する構造であるダックビル５を使用している。また、ダックビル５はメンテナンスが可能となるように取り外しができる構造となっている。図３に示すように、ダックビル取付け部は、ダックビル５、スリーブ６、分岐継手本体７とで構成されており、ダックビル５はスリーブ６の中にセットされ、そのユニット品を分岐継手本体７の中にネジ止めにて取付けている。図３のＡ矢視図に示すようにスリーブ６のフランジ部端面には溝８を設けており、この溝８に先端がＩ字型の工具（例えばマイナスドライバー）をはめ込むことで、スリーブ６の取付け、取り外しが可能となる。
【００１１】
次に、本発明の第２実施例について説明する。なお、第２実施例は、第１実施例の流出口４にワンタッチカプラを設けたものである。
図４は分岐継手の全体図、図５はカプラ接続部の断面図、図６は給水接続管の端部を示す図である。
第２実施例において、逆流防止手段及び流出口３の接続手段は前述の第１実施例と同様であるが、図４に示すように、流出口４側の接続部は、ワンタッチで給水接続管等を接続することができるカプラ接続部１０を設けており、狭いトイレスペースにおいても工具を用いずに片手で給水管等を接続できる為、施工性が非常に良い。
カプラ接続部１０は、特開平１０−１８５０５６号公報に見られるような従来公知の構造である。接続時には、給水接続管１６の先端のプラグ１７をカプラ接続部１０に挿入することにより、スリーブ１１が施錠子１２の遠心方向への移動を抑止して施錠子１２が給水接続管１６先端のプラグ１７の係合部１８に係合することにより給水接続管１６が接続され。また、接続解除時には、ばね１５ａに抗いスリーブ１１を後退させて施錠子１２の遠心方向への抑止を解除することにより施錠子１２とプラグ１７の係合部１８との係合が外れるので、給水接続管１６をカプラ接続部１０から外すことができる。また、カプラ接続部１０内には、セルフシール機構が内蔵されている。このセルフシール機構は、給水接続管１６が接続されていない状態では、弁体１３がばね１５で弁座１４に押し付けられて止水状態となるもので、給水接続管１６のプラグ１７をカプラ接続部１０に挿入することにより止水状態が解除されるのである。図９に示す給水接続管１６のプラグ１７先端に設けられた突部１９の先端がセルフシール機構の弁体１３に当接することでばね１５ｂに抗い弁体１３を弁座１４から引き離すことができ、セルフシールが解除されて通水状態になる。
【００１２】
次に、本発明の第３実施例について説明する。
図７は第３実施例の分岐継手の図である。本実施例は、第１実施例の流出口４に止水手段を設けた構造となっている。止水手段は、分岐継手本体７の弁座２０、弁座部をシートするパッキン２１、止水栓を開閉するスピンドル２２で構成されており、スピンドル２２を時計方向に回すことで、パッキン２１が弁座２０の方向に進んでいき、最終的にパッキン２１と弁座２０が接することでシールされる。逆に、スピンドル２２を反時計回りに回すことにより、パッキン２１が図上右側に進みシール部が開放され、スピンドル２２がストッパ２３に突き当たるまで回転可能な構造になっている。このような構造をとることにより、温水洗浄装置側の単独止水が可能となり、凍結対策として温水洗浄装置の水抜きを行い給水接続管を外した場合でも便器洗浄装置２を使うことが可能となる。
【００１３】
【発明の効果】
以上説明したように、本発明は、温水洗浄装置に水を供給する為の分岐継手の形状を給水からの流入方向と異なる２方向に水を分岐する形状としたり、分岐継手を一の流入口と、流入口への給水方向とは異なる流水方向を持つ複数の流出口とを有する形状にすることにより、従来、分岐継手が取り付かず温水洗浄装置の施工に苦労をしていた現場においても、より簡単に温水洗浄装置の取り付けが可能となる。また、分岐継手に逆流防止構造を設けることで、温水洗浄装置及び便器洗浄装置の水の逆流を妨げることができるので、水道管内の衛生をより完璧に保つことができる。また、分岐継手本体の材料に合成樹脂を使用することで、樹脂ナットとの接続時にナットのネジ山破損等を防ぐことができる。更に、分岐継手と温水洗浄装置に水を給水する給水接続管との接続に接続カプラを使用することで、施工性が良くなり、尚且つ、セルフシール機構が付いている為万が一施工ミス等で給水接続管が外れたとしても分岐継手から漏水することはない。
【図面の簡単な説明】
【図１】本発明の第１実施例を示す斜視図
【図２】分岐継手の水路構成を示すブロック図
【図３】逆流防止手段を示す部分断面図
【図４】本発明の第２実施例を示す平面図及び断面図
【図５】カプラ接続部の断面図
【図６】給水接続管を示す側面図
【図７】本発明の第３実施例を示す平面図及び断面図
【図８】温水洗浄装置の斜視図
【図９】便器洗浄装置の設置状態を示す側面図及び正面図
【図１０】図９の給水接続部分の拡大図
【符号の説明】
１…分岐継手
２…流入口
３…流出口
４…流出口
５…ダックビル
６…スリーブ
７…分岐継手本体
８…スリーブ溝
９…ウィングナット
１０…カプラ接続部
１１…スリーブ
１２…施錠子
１３…弁体
１４…弁座
１５ａ…ばね
１５ｂ…ばね
１６…給水接続管
１７…プラグ
１８…係合部
１９…突部
２０…分岐継手本体弁座部
２１…パッキン
２２…スピンドル
２３…ストッパ
Ａ…給水口
Ｂ…便器洗浄装置
Ｃ…便器洗浄装置の給水口
Ｄ…Ｔ字型分岐継手
Ｅ…温水洗浄装置の給水口
【図１】
2004028152.tif 000003
【図２】
2004028152.tif 000004
【図３】
2004028152.tif 000005
【図４】
2004028152.tif 000006
【図５】
2004028152.tif 000007
【図６】
2004028152.tif 000008
【図７】
2004028152.tif 000009
【図８】
2004028152.tif 000010
【図９】
2004028152.tif 000011
【図１０】
2004028152.tif 000012